(57)【特許請求の範囲】
【請求項１】
ネットワークからエンテティへのサービスが実行される機器、または、エンテティによるサービスがネットワークから利用される機器とネットワークの間に接続されるネットワーク接続機器用アダプタ装置であって、
対象とするエンテティ名とその通信プロトコルタイプ及びサービス名とその通信プロトコルタイプに係る情報を保持する識別手段と、
前記機器とネットワーク間において送受される通信データを取り込み、デコードするデコード化手段と、
前記機器におけるサービス状況に係る表示を行う表示手段と、
前記デコード化手段によりデコードされたデータと、前記識別手段に保持された情報とを用いて、該当エンテティのサービスに関する状況を判別する判別手段と、
この判別手段による判別に応じて前記表示手段の表示制御を行う表示制御手段と
を具備することを特徴とするネットワーク接続機器用アダプタ装置。
【請求項２】
前記識別手段に保持させる情報を入力するための入力手段が備えられていることを特徴とする請求項１に記載のネットワーク接続機器用アダプタ装置。
【請求項３】
前記判定手段によるサービスに関する複数種の状況判別結果が記憶される記憶手段を具備し、
前記表示手段は、前記状況判別結果の種類に応じた数の異なる態様にて表示を可能に構成されており、
前記判別手段により、異なる状況判別結果が前記記憶手段に記憶されることに応じて前記表示制御手段が前記表示手段の表示を切り換えることを特徴とする請求項１に記載のネットワーク接続機器用アダプタ装置。
【請求項４】
前記判別手段は、前記識別手段に保持された情報に基づき電子メールの着信を検出し、表示手段に表示を行うことを特徴とする請求項１に記載のネットワーク接続機器用アダプタ装置。
【請求項５】
前記判別手段は、前記識別手段に保持された情報に基づきネットワークからのダウンロードを検出し、表示手段に表示を行うことを特徴とする請求項１に記載のネットワーク接続機器用アダプタ装置。
【請求項６】
前記判別手段は、前記識別手段に保持された情報に基づき前記機器がネットワークに接続されてから稼動可能となったか否かを検出し、表示手段に表示を行うことを特徴とする請求項１に記載のネットワーク接続機器用アダプタ装置。
【発明の詳細な説明】
【０００１】
【発明の属する技術分野】
この発明は、ネットワークに接続される機器と、ネットワークとの間に接続されるネットワーク接続機器用アダプタ装置に関するものである。
【０００２】
【従来の技術】
近年、ネットワークに電子機器または電気機器を接続して、ネットワーク側からサービスを受けるように構成するシステムが登場しており、その代表格というものがパーソナルコンピュータや携帯電話等の情報機器端末である。図１７に示すように情報機器端末１は、ネットワーク２を介してメールサーバ３に接続され、電子メールを受けることができる。
【０００３】
上記のシステムでは、図１８に示されるメール配信型と称される手法と、図１９に示されるメールボックス問い合わせ型と称される手法のいずれかにより、情報機器端末１がメールを受信する。
【０００４】
つまり、図１８に示されるメール配信型と称される手法では、メールサーバ３からメールが直接に情報機器端末１のメールクライアントへ転送される。一方、図１９に示されるメールボックス問い合わせ型と称される手法では、メールサーバ３にユーザ対応のメールボックスが設けられており、情報機器端末１のメールクライアントが新規メールの着信の有無を問い合わせ、新規メールが着信していると、これに応えてメールサーバ３からメールが情報機器端末１のメールクライアントへ転送される。
【０００５】
上記のいずれの手法を採用した場合にも、メール到来の表示は情報機器端末１にて行うことになり、例えば、情報機器端末１の表示機能（ブラウン管、液晶表示器、ＬＥＤなど）にポップアップ表示し、或いはアイコン表示を行い、またサウンド機能（スピーカ）にてアラーム音を発生させる。
【０００６】
【発明が解決しようとする課題】
しかしながら、上記の手法は、画面がオン状態であることが前提であり、画面をオフ状態としておくと、メール着信の有無を知ることができない。また、表示の手法もクライアントアプリケーションにより異なるものであり、分かりにくい場合がある。更に、音による表示を採用する場合には、情報機器端末１がサウンド機能を備えている必要がある。
【０００７】
本発明は上記のようなネットワーク接続機器の現状に鑑みてなされたもので、その目的は、機器に拘りなく、サービス状況を知ることの可能なネットワーク接続機器用アダプタ装置を提供することである。
【０００８】
【課題を解決するための手段】
本発明に係るネットワーク接続機器用アダプタ装置は、ネットワークからエンテティへのサービスが実行される機器、または、エンテティによるサービスがネットワークから利用される機器とネットワークの間に接続されるネットワーク接続機器用アダプタ装置であって、対象とするエンテティ名とその通信プロトコルタイプ及びサービス名とその通信プロトコルタイプに係る情報を保持する識別手段と、前記機器とネットワーク間において送受される通信データを取り込み、デコードするデコード化手段と、前記機器におけるサービス状況に係る表示を行う表示手段と、前記デコード化手段によりデコードされたデータと、前記識別手段に保持された情報とを用いて、該当エンテティのサービスに関する状況を判別する判別手段と、この判別手段による判別に応じて前記表示手段の表示制御を行う表示制御手段とを具備することを特徴とする。これによって、ネットワークに接続される機器に拘りなく、そのサービス状況が表示される。
【０００９】
また、本発明に係るネットワーク接続機器用アダプタ装置は、前記判定手段によるサービスに関する複数種の状況判別結果が記憶される記憶手段を具備し、前記表示手段は、前記状況判別結果の種類に応じた数の異なる態様にて表示を可能に構成されており、前記判別手段により、異なる状況判別結果が前記記憶手段に記憶されることに応じて前記表示制御手段が前記表示手段の表示を切り換えることを特徴とする。これにより、判別手段により、異なる状況判別結果が前記記憶手段に記憶されることに対応して表示を切り換えて、サービス状況を適切に表示する。
【００１０】
【発明の実施の形態】
以下、添付図面を参照して本発明の実施の形態に係るネットワーク接続機器用アダプタ装置を説明する。各図において同一の構成要素には、同一の符号を付し重複する説明を省略する。図１には、本発明の第１の実施の形態に係るネットワーク接続機器用アダプタ装置２０を採用した通信システムが示されている。このネットワーク接続機器用アダプタ装置２０は、ネットワーク１０に接続される機器である情報機器端末３０と、ネットワーク１０との間に接続される。
【００１１】
ネットワーク接続機器用アダプタ装置２０は、情報機器端末３０とネットワーク１０との間の回線に分岐接続される送受信インターフェース２１と、デコード化手段２２、識別手段２３、判別手段２４及び通知表示部（表示手段）２５を具備している。上記送受信インターフェース２１は、回線から通信データを取り込むものであり、デコード化手段２２は、取り込んだ通信データをデコードするものである。
【００１２】
識別手段２３は、判別手段２４が判別すべき対象に係るエンテティとサービスを特定する。ここにで、エンテティとは、個々の情報機器端末自体のネットワークにおける識別子、情報機器端末に備えられるハードウエアやソフトウエア、更に、音声や画像などのマルチメディアデータや電子文書等のようにネットワークにおいて実体と見做されるものを指す。また、サービスとは、上記のエンテティがネットワークにおいて機能する状態とされ、或いは利用されることをいう。判別手段２４は、識別手段２３を参照してデコード化手段２２によりデコードされたデータに基づいて、情報機器端末に対するネットワーク側からのサービス状況を判別するものである。更に、通知表示部２５は、例えば、液晶やＬＥＤ等の表示器やスピーカ等の発音器などである。
【００１３】
上記の識別手段２３は、例えば、エンテティ名とその通信プロトコルタイプ、サービス名とその通信プロトコルタイプにより定義されたメモリテーブルであり、このメモリテーブルの内容は予め書き込まれ、或いは入力手段により適宜に設定変更される。判別手段２４は、プロセッサにて実行されるプログラムにより実現される。
【００１４】
以上のように構成されたネットワーク接続機器用アダプタ装置２０による動作を図２のフローチャートにより説明する。まず送受信インターフェース２１により通信信号を取り込み（Ｓ１）、これをデコード化手段２２によりデコードする（Ｓ２）。この結果、デコードされたデータは、図３に示すように分けられて判別手段２４へ送出される。つまり、デコードの結果は、図３（ａ）に示す通信プロトコルの前ヘッダと、図３（ｂ）に示す通信プロトコルのデータ本体と、図３（ｃ）に示す通信プロトコルの後ヘッダとに分けられる。尚、図３（ｂ）に示す通信プロトコルのデータ本体は、通信プロトコルｎだけのものを示すが、通信プロトコル１〜ｎのものも存在する。
【００１５】
次に、判別手段２４が識別手段２３を使用して該当のエンテティへのサービスが実行されたかを判断する（Ｓ３）。ここで判別手段２４は、識別手段２３に保持されているエンテティ名とその通信プロトコルタイプ、サービス名とその通信プロトコルタイプの情報を用い、通信プロトコルにおける識別子からエンテティとサービスを識別する（Ｓ３Ａ）。そして判別手段２４は、図４に示すように、エンテティ名とその通信プロトコルタイプ、サービス名とその通信プロトコルタイプにそえぞれ対応するプロトコルヘッダで指定された値及び通信プロトコルのデータ本体の値を得て、判断（ステップＳ３）を実行する。
【００１６】
そして、該当のエンテティへのサービスが実行されなければ、ステップＳ１へ戻って処理を続ける一方、該当のエンテティへのサービスが実行される場合には、通知表示部２５に対してサービス実行を示す通知表示を行う（Ｓ４（表示制御手段））。
【００１７】
図５には、上記ネットワーク接続機器用アダプタ装置２０を新規メール通知装置４０としてネットワーク２と情報機器端末１の間に設けたシステムが示されている。つまり、ＬＡＮカード、ＩＳＤＮカード、モデムカード、ＬＡＮケーブル、電話回線ケーブル、ソケット、コネクタなどに、メールの情報のデコード機能と表示機能を持たせたネットワーク接続機器用アダプタ装置２０の構成を採用し、メール配信型のプロトコルであるＰＯＰ３（Ｐｏｓｔ  Ｏｆｆｉｃｅ  Ｐｒｏｔｏｃｏｌ  Ｖｅｒｓｉｏｎ  ３）により新規メール情報が到来を判別した場合に、表示を行う新規メール通知装置２０としてある。
【００１８】
上記の新規メール通知装置２０においては、デコードされた結果は、図６に示される各ヘッダ及びデータ本体が得られる。そして、判別手段２４による判別では、図７に示すように、エンテティ名の識別のためにＩＰアドレスが用いられ、サービス名識別のためにＴＣＰポート番号が用いられ、メール有りのサービス状況は、メールの配信要求とこれに対する肯定応答の検出が基準とされる。
【００１９】
係る構成の新規メール通知装置２０によれば、情報機器端末１の画面がＯＦＦでもメール着信の通知がわかる。また、情報機器端末１のハードウエア構成、ＯＳ、クライアント・アプリケーションの種類に依存しない表示が可能となる。
【００２０】
図８には、ホームネットワーキングにおける各機器とネットワークとの間にネットワーク接続機器用アダプタ装置２０の構成を備えるダウンロード通知装置４１を介在させた構成が示されている。このシステムでは、家庭に到来する音声や映像、電子文書などあらゆるネットワーク情報サービスが一旦まとめられてホームサーバ４に蓄積され、情報の用途に応じてテレビ、エアコン、パソコン、携帯電話などにダウンロードして活用できる環境が構築されている。
【００２１】
この実施の形態では、ダウンロードケーブル自体に、そのケーブル上を流れる通信データのデコード化手段２２と、そのダウンロード先エンテティを識別する識別手段２３と、サービスのダウンロードの有無を判別する判別手段２４と、その有無の判断結果をＬＥＤ表示により簡易に知らせる表示制御手段を持たせたネットワーク接続機器用アダプタ装置２０を構成し、これをホームネットワーキングにおけるダウンロード通知装置４１とする。
【００２２】
ここにおいて、エンテティに対してダウンロードが行われたかどうかの表示は一般にはエンテティに応じていろいろな方法が取られることになる。そして、本実施の形態であるこのダウンロード通知装置４１を用いることにより、以下の点からホームネットワーキングの利便性をより大きく高めることなる。
【００２３】
つまり、ネットワークに接続する様々な機器に対して、分かり易い同じ形態でのダウンロード通知が可能となる。また、ダウンロードに不具合が発生した場合に、それが機器によるものなのか、ネットワーク上によるものなのかを判別する場合の参考となる。データ転送中に誤って機器を外してしまう危険を減らせる。ダイアルアップ環境でデータ転送中に他の人が誤って電話を掛けようとして、データエラーとなることを防ぐ。他の人は電話を使っていいかどうか一目で判る。ホームバンキング、オンラインシヨッピング等でセキュアなリンクが確立されているかが一目で判る。
【００２４】
図９（ａ）には、プリンタ、パーソナルコンピュータ、ディジタルカメラ、ディジタルビデオ、その他の、電気機器３０とネットワーク１との間にネットワーク接続機器用アダプタ装置２０の構成を備える稼動通知装置４２を介在させた構成が示されている。ここで、例えばプリンタをネットワークで共有する場合、ネットワークに接続すると自動的に設定手順が開始し、必要な場合はデバイスドライバのネットワークからのダウンロードも行い、ネットワーク共有の設定を完了する。これはプリンタへの手作業の初期設定なしで、自動的にネットワーク経由の印刷サービスの利用が可能になることを意味する。
【００２５】
上記の稼動通知装置４２は、図９（ｂ）に示すフローチャートの動作を行う。ケーブルやコネクタなどに、そのケーブル上を流れる通信データをデコードして初期設定の処理段階の監視を行い（Ｓ１１）、自動的に新しいエンテティがネットワークに接続されてそのエンテティによるサービスがネットワーク１から利用可能なスタンバイ状態になったかを検出する（Ｓ１２）。そして、スタンバイ状態となると、それをＬＥＤ表示や音による表示器２５Ａにて簡易に表示して知らせる（Ｓ１３）。これにより、接続後に稼働状態となったことを一目瞭然に識別でき、適切な運用を行うことができる。
【００２６】
図１０（ａ）には、電力会社から家庭への電力供給システムと家庭内の照明機器、風呂、ビデオ、エアコンなどの様々な家庭用の電気機器３１との間にネットワーク接続機器用アダプタ装置２０の構成を備えるコンセント４３を介在させた構成が示されている。このシステムは、電力線や家庭内の電灯線を通じて電気機器３１を遠隔操作できるシステムである。
【００２７】
上記のコンセント４３は、図１０（ｂ）に示すフローチャートの動作を行う。スタートとなり、電力供給ネットワークから制御用データを検知する共に、そのデータをデコードして、電気機器３１が遠隔制御中であるか否か、またその内容を監視して（Ｓ２１）、電気機器３１が遠隔制御中であるか否か、または、稼働中であるかを判定する（Ｓ２２）。ここで、電気機器３１が遠隔制御中或いは稼働中であることを検出すると、対応の表示を表示器２５Ｂにて行う（Ｓ２３）。つまり、コンセント４３に接続された家庭用の電気機器３１が遠隔制御中であるか否かによって表示器２５Ｂの通知表示を変化させる。
【００２８】
これによって、コンセント、ケーブル、コネクタという比較的誰でも目に触れわかりやすい部分において制御通知機能が備えられているので、遠隔制御が円滑に働いているか、稼働中かを各機器を操作するまでもなく一目で分かるようになる。つまり、コンセント４３の設置場所で、それに接続する複数の離れた場所においた機器の遠隔制御の状態が判るので、制御の確認のために移動して機器を操作したり、その機器の表示部を確認する手間が省ける。
【００２９】
図１１には、第２の実施の形態に係るネットワーク接続機器用アダプタ装置２０Ａの構成が示されている。このネットワーク接続機器用アダプタ装置２０Ａは、図１のネットワーク接続機器用アダプタ装置２０に記憶手段２６を具備させたものである。この記憶手段２６には、サービス状況に係る状況遷移情報が記憶される。通知表示部２５Ｃは、少なくとも２つの異なる態様にて表示を可能に構成されている。判別手段２４は、記憶手段２６に記憶されたサービス状況に係る状況遷移情報と現状のサービス状況を比較し、変化を検出する。通知表示部２５Ｃは、記憶手段２６に記憶された情報と判別手段２４による判別とに基づき、サービス状況に対応して表示が切り換えられる。
【００３０】
以上のように構成されたネットワーク接続機器用アダプタ装置２０Ａによる動作を図１２のフローチャートにより説明する。基本的な処理は図１のネットワーク接続機器用アダプタ装置２０による動作と変わらないが、通知表示部２５Ｃに対してサービス実行を示す通知表示を行う（Ｓ４（表示制御手段））と、記憶手段２６へサービス状況の変化を記憶する（Ｓ５）。そして、次の通信プロトコルのデータ本体の値を得て、判断（ステップＳ３）を実行する。この結果、変更があると、通知表示部２５Ｃに対してサービス実行の変化を示す通知表示を行う（Ｓ４（表示制御手段））。
【００３１】
上記の第２の実施の形態の構成に係るネットワーク接続機器用アダプタ装置２０Ａ装置によって、メール問い合わせ通知に対する応答を監視して処理を行う場合の動作を図１３を参照して説明する。ここでは、図５に示されるようなシステムを想定すると、まず、情報機器端末１からネットワーク２に接続されているメールサーバ３へのメール問い合わせに対する応答にて、「メール有り」が返送された場合（ＳＴ１）には、本実施の形態に係る通知表示部２５ＣをＯＮとし、この「メール有り」を記憶手段２６へ記憶する。
【００３２】
そして、図１２にて説明した如くの処理を継続する内に、メール問い合わせに対する応答にて、「メール無し」が返送された場合、或いはメールの読み出し要求に応答してメール読み出し及び転送を行う際の「読み出し」が返送された場合（ＳＴ２）には、記憶手段２６の内容である「メール有り」と異なるサービス状況となったことが検出され、本実施の形態に係る通知表示部２５ＣをＯＦＦとし、この「メール無し」或いは「読み出し」を記憶手段２６へ記憶する。この状況から、再び「メール有り」が返送された場合（ＳＴ１）には、本実施の形態に係る通知表示部２５ＣをＯＮとし、この「メール有り」を記憶手段２６へ記憶する。以下同様に動作が続けられる。
【００３３】
上記の第２の実施の形態の構成に係る装置において、ＦＰＴ（Ｆｉｌｅ  Ｔｒａｎｓｆｅｒ  Ｐｒｏｔｏｃｏｌ  ）やソフトウエアダウンロードにおけるファイル転送の通知に対する処理を行う場合の動作を図１４を参照して説明する。ネットワーク２側から送られる通知にて、「ファイル転送開始」が送られた場合（ＳＴ３）には、本実施の形態に係る通知表示部２５ＣをＯＮとして「通信中」を示し、この「ファイル転送開始」を記憶手段２６へ記憶する。
【００３４】
そして、図１２にて説明した如くの処理を継続する内に、ネットワーク２側から送られる通知にて、「ファイル転送終了」が送られた場合（ＳＴ４）には、記憶手段２６の内容である「ファイル転送開始」と異なるサービス状況となったことが検出され、本実施の形態に係る通知表示部２５ＣをＯＦＦとして「通信終了」を示し、この「ファイル転送終了」を記憶手段２６へ記憶する。この状況から、再び「ファイル転送開始」が返送された場合（ＳＴ３）には、本実施の形態に係る通知表示部２５ＣをＯＮとし、この「ファイル転送開始」を記憶手段２６へ記憶する。以下同様に動作が続けられる。
【００３５】
上記の第２の実施の形態の構成に係るネットワーク接続機器用アダプタ装置２０Ａ装置によって、ＴＣＰ／ＩＰで接続されたコンピュータにリモートログインするためのサービスまたはプログラムであるテルネット（ｔｅｌｎｅｔ）などによるリモートログイン通知を監視して処理を行う場合の動作を図１５を参照して説明する。テルネットにより、「リモートログイン開始」が送られた場合（ＳＴ５）には、本実施の形態に係る通知表示部２５ＣをＯＮとして「通信中」を示し、この「リモートログイン開始」を記憶手段２６へ記憶する。
【００３６】
そして、図１２にて説明した如くの処理を継続する内に、テルネットによる通知にて、「リモートログイン終了」が送られた場合（ＳＴ６）には、記憶手段２６の内容である「リモートログイン開始」と異なるサービス状況となったことが検出され、本実施の形態に係る通知表示部２５ＣをＯＦＦとして「通信終了」を示し、この「リモートログイン終了」を記憶手段２６へ記憶する。この状況から、再び「リモートログイン開始」が返送された場合（ＳＴ５）には、本実施の形態に係る通知表示部２５ＣをＯＮとし、この「リモートログイン開始」を記憶手段２６へ記憶する。以下同様に動作が続けられる。
【００３７】
上記の第２の実施の形態の構成に係る装置において、ＳＳＬ（Ｓｅｃｕｒｅ  Ｓｏｃｋｅｔ  Ｌａｙｅｒ  ）などによるセキュアリンクの通知に対する処理を行う場合の動作を図１６を参照して説明する。この例では、表示器として、緑色、赤色及び消灯の状態を呈する通知表示部２５Ｃ’を用いる。ここではシステムが「ＴＣＰ接続」を開始するプロトコルを検出し（ＳＴ７）、通知表示部２５Ｃ’を赤色表示して「非ＳＳＬ通信」を示し、この「ＴＣＰ接続」を記憶手段２６へ記憶する。
【００３８】
更に、クレジットカード情報を送信する場合などの段階に入るために、「ＳＳＬ開始」のプロトコルを検出し（ＳＴ８）、通知表示部２５Ｃ’を緑色表示して「ＳＳＬ通信中」を示し、この「ＳＳＬ開始」を記憶手段２６へ記憶する。次に、クレジットカード情報を送信する場合などの段階を終了して通常の通信へ移行するための、「ＳＳＬ終了」のプロトコルを検出し（ＳＴ９）、通知表示部２５Ｃ’を赤色表示へ変更して「非ＳＳＬ通信」を示し、この「ＳＳＬ終了」を記憶手段２６へ記憶する。
【００３９】
更に、上記状態から、クレジットカード情報を送信する場合などの段階に入るなどして処理が行われ、最終的に「ＴＣＰ接続終了」のプロトコルとなると（ＳＴ１０）、通知表示部２５Ｃ’をＯＦＦへ変更して「通信終了」を示し、この
「ＴＣＰ接続終了」を記憶手段２６へ記憶する。
【００４０】
以上のように表示器が少なくとも２つの異なる態様にて表示を可能に構成されていることを利用して、記憶手段２６へサービス状況の遷移を記憶してゆき、状況の変更に合わせて表示の態様を変更しているため、現在の状況を表示により明白に把握することができる。
【００４１】
【発明の効果】
以上説明したように本発明に係るネットワーク接続機器用アダプタ装置によれば、機器とネットワーク間において送受される通信データをデコードし、このデコードされたデータと、前記識別手段に保持された情報とを用いて、該当エンテティのサービスに関する状況を判別して、この判別結果に応じて表示制御を行っているので、機器に拘りなく、サービス状況が表示されることになり、サービス状況を適切に把握可能である。
【００４２】
また、本発明に係るネットワーク接続機器用アダプタ装置によれば、状況判別結果の種類に応じた数の異なる態様にて表示を可能に構成されていることを利用して、判別手段により、異なる状況判別結果が前記記憶手段に記憶されることに応じて表示の態様を変更するので、現在の状況を表示により明白に把握することができる。
【図面の簡単な説明】
【図１】本発明の第１の実施の形態に係るネットワーク接続機器用アダプタ装置を備えるシステムの構成図。
【図２】本発明の第１の実施の形態に係るネットワーク接続機器用アダプタ装置を備えるシステムの動作を説明するためのフローチャート。
【図３】本発明の実施の形態に係るネットワーク接続機器用アダプタ装置によりデコードされた通信データを示す図。
【図４】本発明の実施の形態に係るネットワーク接続機器用アダプタ装置におけるサービス状況の判定に使用されるデータを示す図。
【図５】本発明の第１の実施の形態に係るネットワーク接続機器用アダプタ装置を備えるメール送信システムの構成図。
【図６】本発明の第１の実施の形態に係るネットワーク接続機器用アダプタ装置を備えるメール送信システムにおいてデコードされた通信データを示す図。
【図７】メール送信システムにおいて、サービス状況の判定に使用されるデータを示す図。
【図８】本発明の第１の実施の形態に係るネットワーク接続機器用アダプタ装置を備えるホームネットワーキングシステムの構成例を示す図。
【図９】本発明の第１の実施の形態に係るネットワーク接続機器用アダプタ装置を備えるネットワークサービス利用可能性通知を行うシステムの構成例と、その動作フローチャートを示す図。
【図１０】本発明の第１の実施の形態に係るネットワーク接続機器用アダプタ装置を備える家電制御システムの構成例と、その動作フローチャートを示す図。
【図１１】本発明の第２の実施の形態に係るネットワーク接続機器用アダプタ装置を備えるシステムの構成図。
【図１２】本発明の第２の実施の形態に係るネットワーク接続機器用アダプタ装置を備えるシステムの動作を説明するためのフローチャート。
【図１３】本発明の第２の実施の形態に係るネットワーク接続機器用アダプタ装置を備えるメール送信システムの動作を説明するための図。
【図１４】本発明の第２の実施の形態に係るネットワーク接続機器用アダプタ装置を備えるファイル転送システムの動作を説明するための図。
【図１５】本発明の第２の実施の形態に係るネットワーク接続機器用アダプタ装置を備えるリモートログインを行うシステムの動作を説明するための図。
【図１６】本発明の第２の実施の形態に係るネットワーク接続機器用アダプタ装置を備えるセキュア通信を行うシステムの動作を説明するための図。
【図１７】従来のネットワークシステムの構成図。
【図１８】従来のネットワークシステムにおいてメール配信型にて行われるメール送信の動作を説明するための図。
【図１９】従来のネットワークシステムにおいてメールボックス問い合わせ型にて行われるメール送信の動作を説明するための図。
【符号の説明】
１、３０  情報機器端末                ２、１０  ネットワーク
３  メールサーバ                      ４  ホームサーバ
２０、２１Ａ  ネットワーク接続機器用アダプタ装置
２１  送受信インターフェース          ２２  デコード化手段
２３  識別手段                        ２４  判別手段
２５、２５Ｃ、２５Ｃ’  通知表示部    ２５Ａ、２５Ｂ、表示器
２６  記憶手段
【図１】
0003552960.tif 000002
【図２】
0003552960.tif 000003
【図３】
0003552960.tif 000004
【図４】
0003552960.tif 000005
【図５】
0003552960.tif 000006
【図６】
0003552960.tif 000007
【図７】
0003552960.tif 000008
【図８】
0003552960.tif 000009
【図９】
0003552960.tif 000010
【図１０】
0003552960.tif 000011
【図１１】
0003552960.tif 000012
【図１２】
0003552960.tif 000013
【図１３】
0003552960.tif 000014
【図１４】
0003552960.tif 000015
【図１５】
0003552960.tif 000016
【図１６】
0003552960.tif 000017
【図１７】
0003552960.tif 000018
【図１８】
0003552960.tif 000019
【図１９】
0003552960.tif 000020